(57)【要約】【課題】サーバ側に着脱し易くかつ確実に固定できるようにラッチ構造を簡単な構造とし、ケーブルの損傷などの悪影響を与えない。【解決手段】一側からケーブル１３が挿入されると共にケーブル１３に接続された基板３を他側に露出せしめるコネクタ本体７と、このコネクタ本体７の一側面に突出した係合突起部１５と、前記コネクタ本体７の一側の両側に設けられた誘導溝部３５と、この誘導溝部３５に誘導されて斜めにスライドするスライド部材３３を両側に備えたラッチ本体１９とこのラッチ本体１９に前記係合突起部１５側に延設された爪部１７とからなるラッチ２１と、前記スライド部材３３が誘導溝部３５内で斜めにスライドすることにより前記爪部１７の作動で前記係合突起部１５が被係合部材より外れるアンロック機構３９と、で構成される。【選択図】      図１
2004311207.tif 000002
【特許請求の範囲】
【請求項１】
一側からケーブルが挿入されると共にケーブルに接続された基板を他側に露出せしめるコネクタ本体と、このコネクタ本体の一側面に突出した係合突起部と、前記コネクタ本体の一側の両側に設けられた誘導溝部と、この誘導溝部に誘導されて斜めにスライドするスライド部材を両側に備えたラッチ本体とこのラッチ本体に前記係合突起部側に延設された爪部とからなるラッチと、前記スライド部材が誘導溝部内で斜めにスライドすることにより前記爪部の作動で前記係合突起部が被係合部材より外れるアンロック機構と、で構成されていることを特徴とするコネクタ。
【請求項２】
前記アンロック機構は、前記誘導溝部に形成された溝側傾斜部と、この溝側傾斜部と同じ傾斜を有してコネクタ本体に設けられた本体側傾斜部と、この本体側傾斜部に係合される前記爪部に設けられるラッチ側傾斜部と、で構成されていることを特徴とする請求項１記載のコネクタ。
【請求項３】
前記スライド部材が非円形形状をなしていることを特徴とする請求項１又は２記載のコネクタ。
【請求項４】
前記非円形部材がスライド方向に長い楕円形状であることを特徴とする請求項３記載のコネクタ。
【請求項５】
斜めにスライドするスライド部材を両側に備えたラッチ本体と、このラッチ本体に延設された爪部と、この爪部に形成されたラッチ側傾斜部と、で構成されていることを特徴とするラッチ。
【請求項６】
前記スライド部材が非円形形状をなしていることを特徴とする請求項５記載のラッチ。
【請求項７】
前記非円形部材がスライド方向に長い楕円形状であることを特徴とする請求項６記載のラッチ。
【発明の詳細な説明】
【０００１】
【発明の属する技術分野】
この発明は、例えばコンピュータなどのサーバ間に使われ、主に通信伝送ケーブルなどに利用するケーブルにおいて、パソコン関連の通信速度の高速化にかかわる周辺機器の中で、的確な信号の送受信が可能な高速伝送ケーブルのコネクタ及びラッチに関するものである。
【０００２】
【従来の技術】
図６（Ａ），（Ｂ）を参照するに、従来のコネクタ１０１としては、サーバ側の端子部にコネクト・アンコネクトされるコネクタプラグ（図示省略）がコネクタ本体１０３に備えられており、前記コネクタプラグには伝送ケーブルなどのケーブル（図示省略）が接続され、このケーブルはコネクタ本体１０３の端面に押さえられて固定されている。
【０００３】
また、サーバ側には嵌合溝部２０１を備えた係合プレート２０３が設けられており、前記嵌合溝部２０１に係合する係合突起部１０５がコネクタ本体１０３に設けられている。さらに、前記係合突起部１０５に係合した係合プレート２０３を外すための爪部１０７を備えたラッチ１０９がコネクタ本体１０３に前後方向へスライド自在に設けられており、前記爪部１０７には係合プレート２０３とコネクタ本体１０３との間に挿入されるように先端側に向けて狭くなる方向の傾斜部１１１が設けられている。
【０００４】
したがって、コネクタ１０１がサーバ側からアンコネクトされるときは、ラッチ１０９が図６（Ａ）の矢印の方向に押圧移動されることにより、ラッチ１０９の爪部１０７が係合プレート２０３とコネクタ本体１０３との間に挿入されるので、係合プレート２０３が爪部１０７の傾斜部１１１により持ち上げられて嵌合溝部２０１が係合突起部１０５から外されることとなる（例えば、特許文献１参照。）。
【０００５】
図７ないしは図９を参照するに、従来の他のコネクタ１１３としては、サーバ側の端子部にコネクト・アンコネクトされる端子部１１５を有するＰＣＢ基板１１７がコネクタ本体１１９の先端側内部に備えられており、ＰＣＢ基板１１７には通信伝送ケーブルなどのケーブル１２１が接続されている。また、サーバ側の係合プレート２０３に備えた嵌合溝部２０１に係合する係合突起部１２３がコネクタ本体１１９に設けられている。さらに、前記係合突起部１２３に係合した係合プレート２０３を外すための爪部１２５を備えたラッチ１２７がコネクタ本体１１９にヒンジピン１２９を介して図７及び図９の矢印方向に回転可能に取り付けられている。
【０００６】
したがって、通常はコネクタ１１３がサーバ側にコネクトされるときは、ラッチ１２７が図７及び図９の実線のように位置された状態でコネクタ１１３がサーバ側の装着穴に挿入されると、コネクタ１１３の係合突起部１２３が図９の実線で示したサーバ側の係合プレート２０３の嵌合溝部２０１に係合される。一方、コネクタ１１３がアンコネクトされるときは、ラッチ１２７がヒンジピン１２９を介して図９の矢印方向に回転されることにより、ラッチ１２７の曲げモーメントの作用により係合プレート２０３が爪部１２５で押し上げられて係合突起部１２３から外され、コネクタ１１７が引き抜かれる。
【０００７】
以上のように、一般的に従来のコネクタ１０１、１１３にはサーバ側の係合プレート２０３と係合する係合突起部１２３が備えられており、数十種類のラッチ構造によって係合されている係合プレート２０３の着脱が行われている。
【０００８】
【特許文献１】
米国特許出願公開第２００２／０１４２６４９号明細書（［００１８］〜［００２０］、ＦＩＧ１，２）
【０００９】
【発明が解決しようとする課題】
ところで、従来の前者のコネクタ１０１においては、コネクタ１０１をサーバ側に着脱するときの機能上での問題はないが、コネクタ１０１を構成する部材の構造が複雑であるために部品点数も多く必要とするので高価になってしまうという問題点があった。
【００１０】
また、コネクタ１０１が外される時は、ケーブルの電気特性を悪化させないためにケーブルの固定部に力がかからないようにラッチ１０９を押圧移動して注意して作業が行われるようにしており、この種のラッチ構造では作業面でもやりにくいという問題点があった。
【００１１】
また、従来の後者のコネクタ１１３においては、コネクタ１１３が外される時は、コネクタ１１３の全体に曲げモーメントの荷重がかかり、基板１１７が挿入されている先端側の端子部１１５の部分で保持されているため、曲げ力により基板１１７の端子部１１５が摩耗して電気特性が劣化したり、或いは基板１１７の破断につながる可能性もあるという問題点があった。また、上記の曲げ力はケーブル１２１がコネクタ１１３によりクランプされている根元にも影響し、ケーブル１２１には外部からの外的作用により電気特性に悪影響を与えるという問題点があった。
【００１２】
この発明は上述の課題を解決するためになされたもので、その目的は、例えばサーバ側に着脱し易くかつ確実に固定できるように改良したもので、ラッチの構造を簡単な構造とし、ケーブルの損傷などの悪影響を与えないようにしたコネクタ及びラッチを提供することにある。
【００１３】
【課題を解決するための手段】
上記目的を達成するために請求項１によるこの発明のコネクタは、一側からケーブルが挿入されると共にケーブルに接続された基板を他側に露出せしめるコネクタ本体と、このコネクタ本体の一側面に突出した係合突起部と、前記コネクタ本体の一側の両側に設けられた誘導溝部と、この誘導溝部に誘導されて斜めにスライドするスライド部材を両側に備えたラッチ本体とこのラッチ本体に前記係合突起部側に延設された爪部とからなるラッチと、前記スライド部材が誘導溝部内で斜めにスライドすることにより前記爪部の作動で前記係合突起部が被係合部材より外れるアンロック機構と、で構成されていることを特徴とするものである。
【００１４】
したがって、ラッチを斜めにスライドしてコネクタの着脱動作が行われるので、基板に対してもコネクタの着脱方向に対しても自然に行われ、着脱しやすくかつ確実に装着されロックされる。また、コネクタに対する曲げの力がかからないので、コネクタに接続されているケーブルに対する外傷や損傷などの悪影響も与えられずに作業が容易に行われる。しかも、ラッチがスライド部材とコネクタ本体の誘導溝部により斜めにスライドするのでスライド構造を簡単にでき、加工コストが安価である。
【００１５】
請求項２によるこの発明のコネクタは、請求項１記載のコネクタにおいて、前記アンロック機構は、前記誘導溝部に形成された溝側傾斜部と、この溝側傾斜部と同じ傾斜を有してコネクタ本体に設けられた本体側傾斜部と、この本体側傾斜部に係合される前記爪部に設けられるラッチ側傾斜部と、で構成されていることを特徴とするものである。
【００１６】
したがって、爪部はラッチ側傾斜部と本体側傾斜部により容易に被係合部材を係合突起部から外す斜め方向にスライドされ、スライド部材が本体側傾斜部と同じ傾斜をする溝側傾斜部に従ってスライドするのでラッチはコネクタ本体に対して廻らずに確実にスライドされる。
【００１７】
請求項３によるこの発明のコネクタは、請求項１又は２記載のコネクタにおいて、前記スライド部材が非円形形状をなしていることを特徴とするものである。
【００１８】
したがって、スライド部材が非円形形状であるので、ラッチ本体はコネクタ本体の誘導溝部で回転しにくくなり確実にスライドされる。
【００１９】
請求項４によるこの発明のコネクタは、請求項３記載のコネクタにおいて、前記非円形部材がスライド方向に長い楕円形状であることを特徴とするものである。
【００２０】
したがって、スライド部材が誘導溝部によるスライド方向に長い楕円形状をなしているので、ラッチ本体が誘導溝部でより一層回転しにくくなり確実にスライドされる。
【００２１】
請求項５によるこの発明のラッチは、斜めにスライドするスライド部材を両側に備えたラッチ本体と、このラッチ本体に延設された爪部と、この爪部に形成されたラッチ側傾斜部と、で構成されていることを特徴とするものである。
【００２２】
したがって、ラッチ本体は斜めにスライドするスライド部材によりスライド可能になると共に、このスライド時に廻らずに爪部がラッチ側傾斜部によって斜め方向にスライドされる。
【００２３】
請求項６によるこの発明のラッチは、請求項５記載のラッチにおいて、前記スライド部材が非円形形状をなしていることを特徴とするものである。
【００２４】
したがって、スライド部材が非円形形状であるので、ラッチ本体は回転しにくくなり確実にスライドされる。
【００２５】
請求項７によるこの発明のラッチは、請求項６記載のラッチにおいて、前記非円形部材がスライド方向に長い楕円形状であることを特徴とするものである。
【００２６】
したがって、スライド部材がスライド方向に長い楕円形状をなしているので、ラッチ本体がスライド方向に対してより一層回転しにくくなり確実にスライドされる。
【００２７】
【発明の実施の形態】
以下、この発明の実施の形態について図面を参照して説明する。
【００２８】
図１ないしは図３を参照するに、この実施の形態に係るコネクタ１は図３に示されているようにサーバ側のコネクタ装着穴５１に装着されてサーバ側の基板５３に設けた端子部５５に接続（コネクト）されるもので、コネクタ１には前記サーバ側の端子部５５にコネクト・アンコネクトされる端子部３を有するＰＣＢ基板５がコネクタ本体７の内部に備えられている。
【００２９】
ちなみに、上記のコネクタ本体７は、この実施の形態では幅方向（図２において上下方向）に断面コ字状で前後方向（図１及び図２において左右方向）に長い形状をなすラッチ側本体部９とカバー側本体部１１とからなり、ラッチ側本体部９とカバー側本体部１７でコネクタ本体７を形成するように抱き合わせてボルトＢＴで固定されている。また、端子部３はＰＣＢ基板５の先端側に設けられてコネクタ本体７の先端側に位置しており、ＰＣＢ基板５の後端側には通信伝送ケーブルなどのケーブル１３が接続されている。上記のＰＣＢ基板５とケーブル１３はラッチ側本体部９とカバー側本体部１１の間に挟まれるように装着され、特にケーブル１３はコネクタ本体７の後側端部に挟持されて固定されている。なお、ＰＣＢ基板５の先端側の端子部３は図１に示されているようにカバー側本体部１１のコ字状内面に対向する側の面に位置している。
【００３０】
サーバ側のコネクタ装着穴５１の内部には、図４に示されているように嵌合溝部５７を先端部に備えた被係合部材としての例えば係合プレート５９がコネクタ装着穴５１の入口側に向けて設けられており、係合プレート５９の先端側はスプリング性を有している。
【００３１】
また、コネクタ本体７の図１及び図３において下側、つまりラッチ側本体部９の外面には上記の係合プレート５９の嵌合溝部５７に係合する係合突起部１５が突設されている。さらに、前記係合突起部１５に係合した係合プレート５９を外すための爪部１７と、この爪部１７を前記係合突起部１５側に延設するように備えたラッチ本体１９と、からなるラッチ２１がコネクタ本体７に図１の矢印方向の斜め後方側にスライド可能に取り付けられている。
【００３２】
より詳しくは、爪部１７は図２に示されているように平面形状で前記係合突起部１５を挟んでその両側に位置するような二股形状となっており、ラッチ本体１９の後端側には取っ手部２３が設けられている。また、ラッチ本体１９は図２において上下方向の両側にラッチ側本体部９の幅方向（図２において上下方向）の両側面に対向する支持プレート部１９Ａが立設されて断面コ字状をなしている。なお、上記の取っ手部２３には図２に示されているように指を掛けられるように穴部２５が形成されている。
【００３３】
さらに、コネクタ本体７は、ラッチ側本体部９の図１において下側の外面に、上記の爪部１７の先端側全体を嵌合させて爪部１７の外面とラッチ側本体部９の外面とがほぼ面位置になるような溝深さを有する溝部２７が設けられている。前記係合突起部１５は前記溝部２７の幅方向（図２において上下方向）のほぼ中央に設けられている。
【００３４】
図４及び図５を併わせて参照するに、上記の溝部２７には、ラッチ本体１９がスライドする時に爪部１７が係合プレート５７を係合突起部１５から外す方向に移動せしめる傾斜面を有する本体側傾斜部２９が設けられており、一方、爪部１７には溝部２７との接触面側に上記の本体側傾斜部２９に当接する同じ傾斜面を有するラッチ側傾斜部３１が設けられている。
【００３５】
また、ラッチ本体１９の幅方向の両側の支持プレート部１９Ａには、図４に示されているようにスライド部材としての例えばスライドピン３３が内側に向けて突設されている。一方、コネクタ本体７のラッチ側本体部９の後端側の両側面には、図４に示されているように前記スライドピン３３をスライドすべく誘導する誘導溝部３５が設けられている。なお、図４では破断線により前記誘導溝部３５の溝形状が図示されているのであってラッチ側本体部９の内部に貫通する穴部ではなく、ラッチ側本体部９の両側外面に設けた溝形状となっている。しかも、この実施の形態では誘導溝部３５には前述した本体側傾斜部３９と同じく傾斜する溝側傾斜部３７が備えられている。
【００３６】
以上のように、コネクタ１のラッチ２１には係合突起部１５に係合した係合プレート５９を外すためのアンロック機構３９が構成されており、このアンロック機構３９としては、ラッチ１９が誘導溝部３５に誘導されるスライドピン３３を介して後方側へスライドする際に、係合突起部１５に係合した係合プレート５９を外すよう作動するもので、上記の本体側傾斜部２９、ラッチ側傾斜部３１、スライドピン３３、誘導溝部３５が構成部材となっている。
【００３７】
上記構成により、この実施の形態のコネクタ１のラッチ２１としては、コネクタ１がサーバ側からアンコネクトされるときは、取っ手部２３の穴部２５に指を掛けてラッチ２１が図４において右方向へスライドされると、ラッチ側傾斜部３１が本体側傾斜部２９の傾斜面を摺動すると共にスライドピン３３が誘導溝部３５の溝側傾斜部３７に誘導されることにより、ラッチ２１が図５の矢印Ａに示されているように右斜め下側の後方にスライドする。したがって、ラッチ２１の爪部１７がコネクタ本体７のラッチ側本体部９の溝部２７から離反する方向に移動し、ラッチ２１の爪部１７が係合プレート５９を持ち上げて嵌合溝部５７が係合突起部１５から外されることになる。
【００３８】
次いで、ラッチ２１が図５の矢印Ｂに示されているように右側の後方にスライドされると、スライドピン３３が誘導溝部３５の後端に当接するのでコネクタ本体７が引っ張られてＰＣＢ基板５の端子部３がサーバ側の端子部５５からアンコネクトされ、コネクタ１がコネクタ装着穴５１から抜脱される。
【００３９】
一方、コネクタ１がサーバ側にコネクトされるときは、ラッチ２１がコネクタ本体７に対して図５において左側の前方に押されると、図４に示されているようにラッチ側傾斜部３１が本体側傾斜部２９の傾斜面と重ね合わされてラッチ２１の爪部１７がラッチ側本体部９の溝部２７内に嵌合され、ラッチ側本体部９の外面とラッチ２１の爪部１７の外面とがほぼ同じ面位置になる。この状態でコネクタ１が図３に示されているようにコネクタ装着穴５１に挿入されると、コネクタ本体７がコネクタ装着穴５１にガイドされ、ＰＣＢ基板５の端子部３がサーバ側の端子部５５にコネクトされると共に、コネクタ本体７の係合突起部１５が係合プレート５９の嵌合溝部５７に係合されロックされる。
【００４０】
以上のように、ラッチ２１がコネクタ本体７に対してほぼ前後方向にスライドしてコネクタ１の着脱動作が行われるので、ＰＣＢ基板５に対してもコネクタ１の抜脱及び挿入方向に対しても自然に行われ、着脱しやすくかつ確実に装着されロックされる。また、コネクタ１に対する曲げの力がかからないので、ＰＣＢ基板５の端子部３やケーブル１３に対する外傷や損傷などの悪影響も与えられずに作業が容易に行われる。
【００４１】
なお、上記のスライドピン３３は非円形形状にすることにより、例えば誘導溝部３５の溝側傾斜部３７に沿ったスライド方向に長い楕円形状をなしていると、ラッチ２１がコネクタ本体７に対してより一層回転しにくくなり確実にスライドされる。しかも、ラッチ２１がスライドピン３３とコネクタ本体７の誘導溝部３５に従ってスライドするのでスライド構造が簡単にでき、加工コストが安価になる。
【００４２】
なお、この発明は前述した実施の形態に限定されることなく、適宜な変更を行うことによりその他の態様で実施し得るものである。
【００４３】
前述した実施の形態ではコネクタ１について説明したが、他の連結部材に本発明のラッチを備えたラッチ構造を設けることにより、例えば、端子と基板との嵌合部のラッチ構造、高速伝送ケーブルなどの電気特性に影響する箇所における嵌合部のラッチ構造、ファイバチャンネルのラッチ構造、ＳＦＰ（Ｓｍａｌｌ  Ｆｏｒｍ  ｆａｃｔｏｒ  ｐｌｕｇｇａｂｌｅ）のラッチ構造など、種々のラッチ構造に対しても応用されるものである。
【００４４】
【発明の効果】
以上のごとき発明の実施の形態の説明から理解されるように、請求項１の発明によれば、ラッチをスライドしてコネクタの着脱動作を行うので、基板に対してもコネクタの着脱方向に対しても自然に行うことができ、着脱しやすくかつ確実に装着されロックできる。また、コネクタに対する曲げの力がかからないので、コネクタに接続されているケーブルに対する外傷や損傷などの悪影響も与えられずに作業が容易に行うことができる。しかも、ラッチをスライド部材とコネクタ本体の誘導溝部により斜めにスライドできるのでスライド構造を簡単にでき、加工コストを安価にできる。
【００４５】
請求項２の発明によれば、爪部はラッチ側傾斜部と本体側傾斜部により容易に被係合部材を係合突起部から外す斜め方向にスライドでき、スライド部材を本体側傾斜部と同じ傾斜をする溝側傾斜部に従ってスライドできるので、ラッチをコネクタ本体に対して廻らずに確実にスライドできる。
【００４６】
請求項３の発明によれば、スライド部材を非円形形状にすることにより、ラッチ本体をコネクタ本体の誘導溝部で回転しにくくでき確実にスライドできる。
【００４７】
請求項４の発明によれば、スライド部材をスライド方向に長い楕円形状にすることにより、ラッチ本体を誘導溝部でより一層回転しにくくでき確実にスライドできる。
【００４８】
請求項５の発明によれば、スライド部材によってラッチ本体をスライド可能にできると共に、このスライド時に廻らずに爪部をラッチ側傾斜部によって斜め方向にスライドできる。
【００４９】
請求項６の発明によれば、スライド部材を非円形形状にすることにより、ラッチ本体を回転しにくくでき確実にスライドできる。
【００５０】
請求項７の発明によれば、スライド部材をスライド方向に長い楕円形状にすることにより、ラッチ本体をより一層回転しにくくでき確実にスライドできる。
【図面の簡単な説明】
【図１】この発明の実施の形態のコネクタの側面図である。
【図２】図１のコネクタを下方から視た底面図である。
【図３】図１のコネクタをコネクタ装着穴にコネクトしたときの状態説明図である。
【図４】図２の矢視ＩＶ−ＩＶ線の断面図で、コネクタがコネクトされたときのラッチ構造の拡大断面図である。
【図５】コネクタが図４の状態からアンコネクトされるときの状態を説明するラッチ構造の拡大断面図である。
【図６】（Ａ）は、従来のコネクタのラッチ構造を示す部分的な斜視図で、（Ｂ）はラッチを示す斜視図である。
【図７】従来の他のコネクタの側面図である。
【図８】図７のコネクタを下方から視た底面図である。
【図９】図７のコネクタのラッチ構造をしめす拡大図である。
【符号の説明】
１  コネクタ
３  端子部（コネクタ１の）
５  ＰＣＢ基板（コネクタ１の）
７  コネクタ本体
１３  ケーブル
１５  係合突起部
１７  爪部
１９  ラッチ本体
１９Ａ  支持プレート部
２１  ラッチ
２７  溝部
２９  本体側傾斜部
３１  ラッチ側傾斜部
３３  スライドピン（スライド部材）
３５  誘導溝部
３７  溝側傾斜部
３９  アンロック機構
５１  コネクタ装着穴
５３  基板
５５  端子部
５７  嵌合溝部
５９  係合プレート
【図１】
2004311207.tif 000003
【図２】
2004311207.tif 000004
【図３】
2004311207.tif 000005
【図４】
2004311207.tif 000006
【図５】
2004311207.tif 000007
【図６】
2004311207.tif 000008
【図７】
2004311207.tif 000009
【図８】
2004311207.tif 000010
【図９】
2004311207.tif 000011